【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
ソーシャルネットワーキングサイト上でコンテンツを検索するための方法であって、
ユーザ入力に応答して前記ソーシャルネットワーキングサイトにアクセスするステップであって、前記ユーザ入力は、ディスプレイデバイス上でプログラムを表示させながら開始される、ステップと、
前記プログラムに関連する少なくとも１つの特性に基づいて前記ソーシャルネットワーキングサイトを検索するための少なくとも１つのキーワードを生成するステップと、
前記少なくとも１つのキーワードに基づいて前記ソーシャルネットワーキングサイトからコンテンツを取り出すステップと、
前記プログラムと同時に前記ディスプレイデバイス上で表示するためのオーバーレイの中に前記取り出されたコンテンツを出力するステップと、
を含む、前記方法。
【請求項２】
前記キーワードは、電子プログラムガイドの中で提供される、前記プログラムの記述から導き出される、請求項１に記載の方法。
【請求項３】
前記少なくとも１つの特性は、前記プログラムの中で演じる俳優である、請求項１に記載の方法。
【請求項４】
前記少なくとも１つの特性は、前記プログラムに関連した組織である、請求項１に記載の方法。
【請求項５】
前記少なくとも１つの特性は、前記プログラム中に広告される商品である、請求項１に記載の方法。
【請求項６】
記録されているプログラムチャネルに基づいて少なくとも１つの第２のキーワードを生成するステップをさらに含む、請求項１に記載の方法。
【請求項７】
ユーザのお気に入りリストの中の少なくとも１つのプログラムチャネルに基づいて少なくとも１つの第２のキーワードを生成するステップをさらに含む、請求項１に記載の方法。
【請求項８】
前記取り出されたコンテンツの中の少なくとも１つの単語に基づいて少なくとも１つの第２のキーワードを生成するステップをさらに含む、請求項１に記載の方法。
【請求項９】
前記取り出されたコンテンツに加えて前記オーバーレイの中に前記生成された少なくとも１つのキーワードを表示するステップをさらに含む、請求項１に記載の方法。
【請求項１０】
前記生成された少なくとも１つのキーワードを選択して少なくとも１つの第２のキーワードを生成するステップであって、前記少なくとも１つの第２のキーワードは前記生成された少なくとも１つのキーワードに関して類似したコンテンツに関連付けられる、ステップと、
前記ディスプレイデバイス上で表示するために前記少なくとも１つの第２のキーワードを出力するステップと、
をさらに含む、請求項９に記載の方法。
【請求項１１】
前記少なくとも１つの第２のキーワードは、追加のコンテンツに対する埋め込まれたリンクである、請求項１０に記載の方法。
【請求項１２】
ユーザによって選択された所定の識別から追加のコンテンツを取り出すステップと、
前記少なくとも１つのキーワードに基づいて取り出された前記コンテンツと共に前記ディスプレイデバイス上で表示するための前記オーバーレイの中に前記追加のコンテンツを出力するステップと、
をさらに含む、請求項１に記載の方法。
【請求項１３】
前記少なくとも１つのキーワードと前記追加のコンテンツとに基づいて取り出される前記コンテンツを優先順位付けするステップをさらに含む、請求項１２に記載の方法。
【請求項１４】
前記優先順位付けするステップは、ユーザ設定に基づいている、請求項１３に記載の方法。
【請求項１５】
ソーシャルネットワーキングサイト上でコンテンツを検索するためのシステムであって、
ユーザ入力に応答して前記ソーシャルネットワーキングサイトにアクセスするレシーバであって、前記ユーザ入力はディスプレイデバイス上でプログラムを表示させながら開始される、レシーバと、
前記入力信号のレシーバに結合され、前記プログラムに関連する少なくとも１つの特性に基づいて前記ソーシャルネットワーキングサイトを検索するための少なくとも１つのキーワードを生成し、前記少なくとも１つのキーワードに基づいて前記ソーシャルネットワーキングサイトからコンテンツを取り出すコントローラと、
前記コントローラに結合され、前記プログラムと同時に前記ディスプレイデバイス上で表示するためのオーバーレイの中に前記取り出されたコンテンツを出力するディスプレイインターフェースと、
を備える、前記システム。
【請求項１６】
前記キーワードは、電子プログラムガイドの中で提供される前記プログラムの記述から導き出される、請求項１５に記載のシステム。
【請求項１７】
前記少なくとも１つの特性は、前記プログラムの中で演じる俳優である、請求項１５に記載のシステム。
【請求項１８】
前記少なくとも１つの特性は、前記プログラムに関連した組織である、請求項１５に記載のシステム。
【請求項１９】
前記少なくとも１つの特性は、前記プログラム中に広告される商品である、請求項１５に記載のシステム。
【請求項２０】
前記コントローラは、記録されているプログラムチャネルに基づいて少なくとも１つの第２のキーワードを生成する、請求項１５に記載のシステム。
【請求項２１】
前記コントローラは、ユーザのお気に入りリストの中の少なくとも１つのプログラムチャネルに基づいて少なくとも１つの第２のキーワードを生成する、請求項１５に記載のシステム。
【請求項２２】
前記コントローラは、前記取り出されたコンテンツの中の少なくとも１つの単語に基づいて少なくとも１つの第２のキーワードを生成する、請求項１５に記載のシステム。
【請求項２３】
前記ディスプレイインターフェースは、前記取り出されたコンテンツに加えて前記オーバーレイの中に前記生成された少なくとも１つのキーワードを表示する、請求項１５に記載のシステム。
【請求項２４】
前記コントローラに結合され、前記生成された少なくとも１つのキーワードの選択を容易にするユーザインターフェースをさらに備え、前記コントローラは、前記ユーザインターフェースからの前記選択に基づいて少なくとも１つの第２のキーワードをさらに生成し、前記少なくとも１つの第２のキーワードは、前記生成された少なくとも１つのキーワードに関して類似したコンテンツに関連付けられ、前記ディスプレイインターフェースは、前記少なくとも１つの第２のキーワードを出力する、請求項２３に記載のシステム。
【請求項２５】
前記少なくとも１つの第２のキーワードは、追加のコンテンツに対する埋め込まれたリンクである、請求項２４に記載のシステム。
【請求項２６】
前記コントローラは、ユーザによって選択された所定の識別から追加のコンテンツを取り出し、前記ディスプレイインターフェースは、前記少なくとも１つのキーワードに基づいて取り出された前記コンテンツと共に前記オーバーレイの中に前記追加のコンテンツを表示する、請求項１５に記載のシステム。
【請求項２７】
前記コントローラは、前記少なくとも１つのキーワードと、前記追加のコンテンツとに基づいて、取り出された前記コンテンツを優先順位付けする、請求項２６に記載のシステム。
【請求項２８】
前記コントローラは、ユーザ設定に基づいて優先順位付けする、請求項２７に記載のシステム。
【請求項２９】
ソーシャルネットワーキングサイトからのコンテンツを表示するためのユーザインターフェースであって、
ユーザ入力に応答して前記ソーシャルネットワーキングサイトにアクセスする手段であって、前記ユーザ入力はディスプレイデバイス上でプログラムを表示させながら開始される、手段と、
前記プログラムに関連する少なくとも１つの特性に基づいて前記ソーシャルネットワーキングサイトを検索するための少なくとも１つのキーワードを生成する手段と、
前記少なくとも１つのキーワードに基づいて前記ソーシャルネットワーキングサイトからコンテンツを取り出す手段と、
前記プログラムと同時に前記ディスプレイデバイス上で表示するためのオーバーレイの中に前記取り出されたコンテンツを出力する手段と、
を備える、前記ユーザインターフェース。